(57)【要約】【課題】老朽化した既設の波形スレート板屋根材の上に、これを覆う新しい金属板屋根材を、作業性よく、かつスレート板屋根材を傷付けることなく設置すること。【解決手段】スレート板屋根材１の山部１１に、該山部１１から突出する既設のフックボルト５を利用してクランプ金具２を取り付け、取付けられた複数のクランプ金具２に長尺の金属板屋根下地材７を架け渡し、下地材７上に金属板屋根材４を設置する。クランプ金具２としては山部１１を跨ぐ断面台形で、頂面中央部を低頂面部２１１、前後の端部を高頂面部２１２とする段付きとし、低頂面部２１１に設けた貫通穴３に既設のフックボルト５の先端を貫通させ、該先端に板ばねナット８を締め込んでクランプ金具２を固定し、下地材７をクランプ金具２の高頂面部２１２にドリルタッピングねじ９ａで固定し、下地材７上に金属板屋根材４を設置する。【選択図】        図１
2010047911.tif 000002
【特許請求の範囲】
【請求項１】
既設の波形のスレート板屋根材にこれを被覆する新しい金属板屋根材を設置する屋根補修工法であって、
上記スレート板屋根材の山部にこれを跨ぐように上記金属板屋根材を支持するクランプ金具を設置し、
上記クランプ金具として、上記山部を跨ぐ断面台形で、頂面と、その両側縁から下方へ延出する脚部とからなり、上記頂面にはその中央部分と前後部分とで高低差を設けて中央部分を低頂面部、前後部分を高頂面部とし、上記低頂面部には貫通穴を形成したクランプ金具を用い、
上記貫通穴に、上記スレート板屋根材の山部から突出する既設のフックボルトの余長部を挿通させ、リング状の外周部の内側縁から複数の爪が中心に向けて斜め上方へ突出する板ばねナットを、その中心に上記フックボルトの余長部を挿通させ上記低頂面部に押し込むとともに上記爪を上記フックボルトの余長部のねじ軸に係止せしめて上記クランプ金具を上記山部に固定し、
複数列の上記山部に固定されて山部と直交する直線方向に配列する複数の上記クランプ金具に、断面ハット形で長尺の金属板屋根下地材を、その両側のフランジ部を上記クランプ金具の高頂面部に載置して架設し、上記フランジ部から上記高頂面部にねじ部材を貫入せしめて上記金属板屋根下地材を上記クランプ金具に固定し、
固定された上記金属板屋根下地材に上記金属板屋根材を載置固定することを特徴とする屋根補修工法。
【請求項２】
上記クランプ金具は、上記低頂面部とその前後の高頂面部との境界で、頂面を横切り両側の上記脚部の上端部にかけて切り離され、上記境界の段差部が空隙部により形成された請求項１に記載の屋根補修工法。
【請求項３】
上記クランプ金具の低頂面部の貫通穴には、その開口縁に沿い上方へ突出するフランジを形成した請求項１または２に記載の屋根補修工法。
【発明の詳細な説明】
【技術分野】
【０００１】
本発明は、工場等の老朽化した既設の波形スレート板屋根材をとり壊し撤去することなく、その上に新しい金属板屋根材を設置して補修する屋根補修工法に関するものである。
【背景技術】
【０００２】
大型工場、倉庫、体育館等のスレート板屋根材が古くなったとき、これを撤去して新しい屋根材を設置すると、工事期間中、工場での操業や、倉庫等の使用が不可能となる。そこで既設のスレート板屋根材を撤去することなく、その上に新しい屋根材を重ねて設置することが行われている。
【０００３】
この場合、既設のスレート板屋根材の上に新しい金属板屋根材を重ね合せ、上から長いドリルタッピングねじを金属板屋根材およびスレート板屋根材を貫通させ、スレート板屋根材を支持している母屋に締付けて固定すると、建物内に施工くず、ごみ、ちり等が落下する。従って、操業中の工場や使用中の倉庫、体育館などに落下物防止用のテントを張るなど、大がかりな養生が必要となる。しかも、ドリルタッピングねじによる穴あけや締付けで、老朽化した既設のスレート板屋根材に割れ、ひび、欠けなどが生じることがある。
【０００４】
そこで、既設のスレート板屋根材に穴あけを行うことなく新しい金属板屋根材を設置することができる屋根補修工法として、波形のスレート板屋根材の山部に、該山部から上方へ突出する既設のフックボルトの余長部を利用してクランプ金具を設置し、このクランプ金具を介してスレート板屋根材を覆う新しい金属板屋根材を設置する屋根補修工法が提案されている。
【０００５】
例えば特許文献１に記載の工法では、クランプ金具として、スレート板屋根材の山部に沿いこれを覆う平板状の座面部と、座面部の前後両端に脚端が山部の湾曲断面形状に合致させた脚部とからなり、座面部の前後中間位置に、座面部を切り起して同心方向かつ斜め上方に向けて突出する複数の爪状突起を設けた板ばねナットを形成したクランプ金具を用いる。
そして、フックボルトの余長部を板ばねナットの中心に挿通させつつクランプ金具をスレート板屋根材の山部に押し込み、板ばねナットの爪状突起をフックボルトの余長部のねじ溝に係止せしめることによりクランプ金具を山部に設置する。そして、複数の山部に設置されて山部と直交する直線方向に配列する複数のクランプ金具の座面部に断面ハット形で長尺の金属板屋根下地材を載置し、金属板屋根下地材の両側のフランジ部をクランプ金具の座面部の前後の部分に上からドリルタッピングねじなどにより締め付け固定し、このようにして固定された複数本の金属板屋根下地材に新しい金属板屋根材を設置する補修がなされる。なお特許文献１の工法では、板ばねナットはクランプ金具と一体に形成されているが、別体のナット部材を用いることも可能である。
【特許文献１】特許第４０９１９４９号公報
【発明の開示】
【発明が解決しようとする課題】
【０００６】
ところで、かかる工法によればスレート板屋根材に穴、割れ、ひびなどを発生させることなくクランプ金具をスレート板屋根材に取付けることができる。しかしながら次のような問題がある。
スレート板屋根材の山部から上方へ突出するフックボルトの余長部の長さは各建築物によって相違する。余長部が短い建築物の屋根においては、脚部の短い、即ち座面部の高さの低いものでないとフックボルトに係止することができない。そこで座面部の低いクランプ金具を用いると、スレート板屋根材への取付状態で座面部とスレート板屋根材の山部との間の間隙が狭いから、金属板屋根下地材のフランジ部をクランプ金具の座面部にドリルタッピングねじなどのねじ部材で締結するときに座面部をつき抜けたねじ部材の先端がスレート板屋根材に当ってこれを傷付けたり破損したりするおそれがある。
かかる問題は、相隣れるスレート板屋根材が重ね合わされた山部にフックボルトを貫通させた屋根においても起こり得る。
【０００７】
次の問題は、クランプ金具をフックボルトの余長部を利用し、板ばねナットを用いてスレート板屋根材に設置した補修屋根において、大型台風になどに襲われて金属板屋根材に大きな持上力が作用すると、金属板屋根下地材を介してクランプ金具の前後の部分にも大きな持上力が作用し、これによりクランプ金具の中間位置で先端がフックボルトの軸部に掛止している板ばねナットの爪状突起が斜め下向きに反転し、板ばねナットが引き抜き状に上方へずれ動いてクランプ金具がスレート板屋根材から離れるおそれがある。
【０００８】
しかして本発明は金属板屋根材を支持するクランプ金具をスレート板屋根材に、該屋根材から突出するフックボルトの余長部が短くても取付けることができ、かつ金属板屋根下地材をクランプ金具に、スレート板屋根材を傷付けるおそれなく設置することができる屋根補修工法を提供すること、また台風などに対して強固な補修をおこなう屋根修理工法を提供することを課題としてなされたものである。
【課題を解決するための手段】
【０００９】
本発明の屋根補修工法は、既設の波形のスレート板屋根材にこれを被覆する新しい金属板屋根材を設置する屋根補修工法であって、上記スレート板屋根材の山部にこれを跨ぐように上記金属板屋根材を支持するクランプ金具を設置し、上記クランプ金具として、上記山部を跨ぐ断面台形で、頂面と、その両側縁から下方へ延出する脚部とからなり、上記頂面にはその中央部分と前後部分とで高低差を設けて中央部分を低頂面部、前後部分を高頂面部とし、上記低頂面部には貫通穴を形成したクランプ金具を用い、上記貫通穴に、上記スレート板屋根材の山部から突出する既設のフックボルトの余長部を挿通させ、リング状の外周部の内側縁から複数の爪が中心に向けて斜め上方へ突出する板ばねナットを、その中心に上記フックボルトの余長部を挿通させ上記低頂面部に押し込むとともに上記爪を上記フックボルトの余長部のねじ軸に係止せしめて上記クランプ金具を上記山部に固定し、複数列の上記山部に固定されて山部と直交する直線方向に配列する複数の上記クランプ金具に、断面ハット形で長尺の金属板屋根下地材を、その両側のフランジ部を上記クランプ金具の高頂面部に載置して架設し、上記フランジ部から上記高頂面部にねじ部材を貫入せしめて上記金属板屋根下地材を上記クランプ金具に固定し、固定された上記金属板屋根下地材に上記金属板屋根材を載置固定することを特徴する（請求項１）。
【００１０】
クランプ金具は、スレート板屋根材の山部上に固定する中央頂面部を低く、金属板屋根下地材を支持固定する前後両側の頂面部を高くする高低差を付けたから、スレート板屋根材の山部から突出するフックボルトの余長部が短くても中央の低頂面部をフックボルトに係止することができ、かつ前後の高頂面部に上から金属板屋根下地材をねじ締めするときにねじの先端がスレート板屋根材の山部に当ってこれを破損することがない。
【００１１】
上記クランプ金具は、上記低頂面部とその前後の高頂面部との境界で、頂面を横切り両側の上記脚部の上端部にかけて切り離され、上記境界の段差部を空隙部により形成した（請求項２）。
【００１２】
クランプ金具は、中央の低頂面部と、その前後の高頂面部との境界で一部が切離された空隙があるから、台風などで金属板屋根材から下地材を介してクランプ金具の高頂面部に大きな持上力が作用すると上記空隙が弾性変形し、これにより持上力が吸収されてスレート板屋根材に固定の低頂面部に作用する力は低減されて板ばねナットの爪が反転するには至らない。
【００１３】
本発明の屋根補修工法では更に低頂面部の貫通穴のまわりに沿って上方へ突出するフランジを形成したクランプ金具を用いる（請求項３）。
フランジが斜め上方へ突出する板ばねナットの爪の先端をその下から支えるから、爪の下方への反転は一層確実に防止される。
【発明を実施するための最良の形態】
【００１４】
図1に示すように、既設の波形のスレート板屋根材１は、母屋６に載置され、下端が母屋６に係止し上端がスレート板屋根材１の山部１１を貫通して突出するフックボルト５にナット座金５１およびパッキン５２を介してナット５０を締め込むことにより母屋６に固定されている。
【００１５】
新規の金属板屋根材４は、スレート板屋根材1上にクランプ金具２を固定し、クランプ金具２に金属板屋根下地材７を載置し、この金属板屋根下地材７に設置される。
【００１６】
クランプ金具２は、厚さ１．２ｍｍ程度のメッキ鋼板、例えば亜鉛メッキ鋼板を加工成形したもので、図１および図２に示すように、スレート板屋根材１の山部１１を跨ぐ断面台形状で、山部１１の頂上部分に沿いこれを覆う頂面部２１と、その両側縁からハ字形に対向して下方へ延びる脚部２２を備えた基本構造を有し、頂面部２１には高低差を設け、長さ方向中央部分をその前後両側の高頂面部２１２に対し、これらと切り離され、これらよりも低くした低頂面部２１１としてあり、低頂面部２１１には、中央に貫通穴３を設け、貫通穴３の周縁には起立するフランジ３１を形成した構造としてある。脚部２２の脚端は若干外側へ折り曲げてある。
【００１７】
クランプ金具２は、全長にわたり高さが均一で断面台形の基本部材の長手方向中央部分を、その前後の部分との境界に、頂面部を横切り両側の脚部の上端部に至る溝を形成して中央部分と前後の部分とを分離させ、中央部分をプレス成形して前後の部分よりも低く、かつこれらと平行面をなす上記低頂面部２１１を形成する。この場合、低頂面部２１１には両側の脚部２２に沿うビード２１４と、前後縁に沿うビード２１５を形成して低頂面部２１１の剛性を強化する。低頂面部２１１の貫通穴３まわりのフランジ３１はバーリング加工により形成される。
得られたクランプ金具２は、低頂面部２１１とその両側の高頂面部２１２との境界には空隙の段差が形成される。
【００１８】
図１および図４、図５に示すように、クランプ金具２は、スレート板屋根材１の山部１１を跨ぐようにして両側の脚部２２の脚端を山部１１の側面に支持させて設置する。このとき山部１１から突出するフックボルト５の余長部を貫通穴３に挿通させる。
【００１９】
クランプ金具２は、板ばねナット８を用い、フックボルト５を介してスレート板屋根材１に固定する。板ばねナット８はばね鋼板からなり、図３に示すように、リング状の外周部８１の内周縁から複数の爪８２が中心に向け斜め上方へ突出している。外周部８１は六角形で外周縁には起立するフランジ８３が形成してある。
【００２０】
板ばねナット８は、その中心に、スレート板屋根材１に設置したクランプ金具２から突出するフックボルト５の上端を挿入して押し込んでクランプ金具２の低頂面部２１１に押し付け、外周に六角レンチを嵌合させて締め込んで爪８２をフックボルト５のねじ溝に掛止せしめる。これによりクランプ金具２は低頂面部２１１の貫通穴周縁のフランジ３１が爪８２の先端を支えた状態で板ばねナット８により上から押し付けられ、両側の脚部２２の脚端がスレート板屋根材１の山部両側面にこれを挟むように圧接し、スレート板屋根材１に確実かつ強固に固定される。
【００２１】
このようにして取付けられたクランプ金具２は、スレート板屋根材１の山部１１の複数列おきに、かつ山部１１と直交する方向に直線位置に配列する。そして配列するクランプ金具２にはこれらに架け渡すように金属板屋根下地材７を配置する。
【００２２】
金属板屋根下地材７は、断面ほぼハット形の長尺体で、その幅方向両側のフランジ部７１を各クランプ金具２の両側の高頂面部２１２に載置し、その上からドリルタッピングねじ９ａをねじ込むことでクランプ金具２に固体する。この場合、クランプ金具２の高頂面部２１２はスレート板屋根材１の山部１１に対して高位置にあるからドリツタッピングねじ９ａの先端が山部１１に当ってこれを破損させることはない。このようにして、複数本の金属板屋根下地材７を山部１１の長手方向に所定の間隔をおいて互いに平行に設置する。
【００２３】
上記金属板屋根下地材７の上に新設の金属板屋根材４を載置固定する。固定は金属板屋根材４の山部４１の上方から下地材７へドリルタッピングねじ９ｂをねじ込むことにより行なう。この場合、ドリルタッピングねじ９ｂの頭部と上記山部４１との間に座金９１を介在させる。
【００２４】
しかしてこの屋根補修工法によれば、既設のスレート板屋根材１に穴あけ加工を行なわず、またクランプ金具２の取付け時にスレート板屋根材１に衝撃を加えないから作業が容易であり、かつ工事期間中において建築物の使用が可能である。
【００２５】
また、クランプ金具２は、頂面部２１に段差を設けたからスレート板屋根材１から突出する既設のフックボルト５の先端が短くても容易にスレート板屋根材１に取付けることができ、かつクランプ金具２の上から金属板屋根下地材７をねじ締めするときに、ねじ部材によりスレート板屋根材１が破損されることがない。
【００２６】
また、補修された屋根の金属板屋根材４に台風などにより大きな持上力が作用したときに、クランプ金具２は中央部分と両端部分との境界の段差の空隙が弾性的に変形し、これにより持上力が吸収されてスレート板屋根材１に固定された中央部分に作用する持上力は緩和される。加えて上記中央部分をスレート板屋根材１に押付けている板ばねナット８の爪８２はクランプ金具２の貫通穴３まわりのフランジ３１で下から支えられているから、クランプ金具２の両端部に大きな持上力が作用しても板ばねナット８の爪８２は反転しない。よって板ばねナット８が上方へずれ動きクランプ金具２がスレート板屋根材１から離れるおそれはない。
【００２７】
このように本発明の屋根補修工法によれば、既設のスレート板屋根材を傷付けることなく、作業性容易に新しい金属板屋根材を強固に取付けることができる。
【図面の簡単な説明】
【００２８】
【図１】本発明の工法による補修屋根の分解斜視図である。
【図２】本発明の工法に用いるクランプ金具の斜視図である。
【図３】本発明の工法に用いる板ばねナットの斜視図である。
【図４】本発明により補修された屋根の図１のIV-IV線に沿う位置での断面図である。
【図５】本発明により補修された屋根の図１のＶ-Ｖ線に沿う位置での断面図である。
【符号の説明】
【００２９】
１  スレート板屋根材
２  クランプ金具
２１  頂面部
２１１  低頂面部
２１２  高頂面部
３  貫通穴
３１  フランジ
４  金属板屋根材
５  フックボルト
６  母屋
８  板ばねナット
８１  外周部
８２  爪
９ａ，９ｂ  ドリルタッピングねじ
【図１】
2010047911.tif 000003
【図２】
2010047911.tif 000004
【図３】
2010047911.tif 000005
【図４】
2010047911.tif 000006
【図５】
2010047911.tif 000007